【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
組織撮像および操作システムであって、
展開カテーテルであって、前記展開カテーテルを通して少なくとも１つの管腔を画定する、展開カテーテルと、
前記展開カテーテルから遠位に突き出し、内部に空きスペースを画定するフードであって、前記空きスペースは前記少なくとも１つの管腔と流体連通するフードと、
前記フード内または前記フードに沿って配置され、前記空きスペースに隣接する組織を可視化する可視化要素と、を備えるシステム。
【請求項２】
送達カテーテルをさらに含み、前記送達カテーテルを通して前記展開カテーテルを送達できる、請求項１に記載のシステム。
【請求項３】
前記展開カテーテルが操作可能である、請求項１に記載のシステム。
【請求項４】
少なくとも１つのプッシュプルワイヤによって前記展開カテーテルが操作される、請求項３に記載のシステム。
【請求項５】
コンピュータ制御によって前記展開カテーテルが操作される、請求項３に記載のシステム。
【請求項６】
前記フードが弾性材料を備える、請求項１に記載のシステム。
【請求項７】
前記フードが、組織表面に押し付けて配置するための接触端を画定する、請求項１に記載のシステム。
【請求項８】
前記フードが、コンパクトな送達形態から拡張した展開形態へ変化するように構成される、請求項１に記載のシステム。
【請求項９】
前記フードが、前記拡張した展開形態へ自己拡張するよう構成される、請求項８に記載のシステム。
【請求項１０】
前記フードが超弾性または形状記憶合金の骨組を備える、請求項８に記載のシステム。
【請求項１１】
前記フードがひだのある表面を画定する、請求項１に記載のシステム。
【請求項１２】
前記フードが円錐形である、請求項１に記載のシステム。
【請求項１３】
前記空きスペースの体積を削減するため、前記フード内に弾性材料をさらに含む、請求項１に記載のシステム。
【請求項１４】
前記フードを前記カテーテルから選択的に展開して、前記空きスペースを選択的に変えられる、請求項１に記載のシステム。
【請求項１５】
前記フードが非膨張膜を備える、請求項１に記載のシステム。
【請求項１６】
前記フードがらせん状に広がる骨組を備える、請求項１に記載のシステム。
【請求項１７】
前記フードが少なくとも１つの支持部材を備える、請求項１に記載のシステム。
【請求項１８】
前記少なくとも１つの支持部材が、対応するプルワイヤを介して制御可能である、請求項１７に記載のシステム。
【請求項１９】
前記フードが、間に膜が配置された複数の放射状に旋回する部材を備える、請求項１に記載のシステム。
【請求項２０】
前記フードが、それぞれ隣接する部材と重なるように構成された複数の放射状に広がる部材を備える、請求項１に記載のシステム。
【請求項２１】
前記可視化要素が、少なくとも１つの光ファイバー、ＣＣＤ撮像装置、またはＣＭＯＳ撮像装置を含む、請求項１に記載のシステム。
【請求項２２】
前記可視化要素が、前記展開カテーテルの遠位端内に配置される、請求項１に記載のシステム。
【請求項２３】
前記可視化要素が、前記展開カテーテルの長手方向軸に対して軸外に関節運動可能である、請求項１に記載のシステム。
【請求項２４】
前記フードに流体を注入するポンプをさらに含む、請求項１に記載のシステム。
【請求項２５】
前記ポンプが電子制御装置を介して制御されるよう構成されている、請求項２４に記載のシステム。
【請求項２６】
取得したデータを無線送信するためのアンテナをさらに含む、請求項１に記載のシステム。
【請求項２７】
前記フード内に配置され、不透明な流体または破片の存在の検出に適したトランスデューサーをさらに含む、請求項１に記載のシステム。
【請求項２８】
前記フード上に配置され、物理パラメータを感知する少なくとも１つのセンサーをさらに含む、請求項１に記載のシステム。
【請求項２９】
前記フード上に配置され、組織を照明する少なくとも１つの発光ダイオードをさらに含む、請求項１に記載のシステム。
【請求項３０】
前記展開カテーテルを通じて送達可能ならせん状の組織係合器をさらに含む、請求項１に記載のシステム。
【請求項３１】
前記展開カテーテルを通じて送達可能なアブレーションプローブをさらに含む、請求項１に記載のシステム。
【請求項３２】
前記アブレーションプローブが、電圧を印加できるプローブ、冷凍アブレーションプローブ、またはレーザープローブを備える、請求項３１に記載のシステム。
【請求項３３】
前記展開カテーテルおよび前記フードを通じて伸張可能なチューブ状のカニューレをさらに含む、請求項１に記載のシステム。
【請求項３４】
前記フードの接触端上に配置可能な組織アンカーアセンブリをさらに含む、請求項１に記載のシステム。
【請求項３５】
前記組織アンカーアセンブリが、縫合糸またはワイヤによって相互に連結された複数の個別アンカーを備える、請求項３４に記載のシステム。
【請求項３６】
前記フードと流体連通する流体だめをさらに含む、請求項１に記載のシステム。
【請求項３７】
前記流体が生理食塩水、血漿、水、または過フッ化物液を含む、請求項３６に記載のシステム。
【請求項３８】
浸漬した組織部位を撮像するための装置であって、
展開カテーテルから遠位に突き出しているフードであって、撮像する組織部位に押し付けて、または隣接して配置されるように構成されている、フードと、
半透明な流体を前記展開カテーテルを介して前記フードに注入し、不透明な流体を前記フードから移動させるための手段と、
前記半透明な流体を通して組織部位を可視化するための手段と、を含む装置。
【請求項３９】
前記フードを配置するために、前記展開カテーテルが経脈管的に心室へ到達させられるように構成されている、請求項３８に記載の装置。
【請求項４０】
前記フードを配置するために、前記フードがコンパクトな送達形態から拡張した展開形態に展開されるように構成されている、請求項３８に記載の装置。
【請求項４１】
前記フードを配置するために、前記展開カテーテルが前記組織部位に対して操作されるように構成されている、請求項３８に記載の装置。
【請求項４２】
前記フードを配置するために、前記フードの位置が前記組織に対して安定化されるように構成されている、請求項３８に記載の装置。
【請求項４３】
前記半透明な流体を注入するための手段が、前記展開カテーテルによって画定される流体送達管腔を通じて、前記半透明の流体を前記フードにポンプで注入するための手段を含む、請求項３８に記載の装置。
【請求項４４】
前記半透明の流体を注入するための手段が、生理食塩水、血漿、水、または過フッ化物液を前記フードに注入して血液を前記フードから移動させるように構成されている、請求項３８に記載の装置。
【請求項４５】
前記半透明の流体を前記フードに注入する前に冷却するための手段をさらに含む、請求項３８に記載の装置。
【請求項４６】
前記半透明の流体を前記フードに注入する前に加熱するための手段をさらに含む、請求項３８に記載の装置。
【請求項４７】
撮像された組織から得たデータを無線送信するための手段をさらに含む、請求項３８に記載の装置。
【請求項４８】
前記組織部位を可視化するための手段が、前記組織部位を照明するための手段をさらに含む、請求項３８に記載の装置。
【請求項４９】
前記組織部位を照明するための手段が、１つまたは複数の発光ダイオードを含む、請求項４８に記載の装置。
【請求項５０】
前記組織部位を可視化するための手段が、前記組織画像を記録するための手段を含む、請求項３８に記載の装置。
【請求項５１】
前記組織部位を処置するための、前記展開カテーテルを通して送達される治療ツールをさらに含む、請求項３８に記載の装置。
【請求項５２】
前記フードが、撮像する第二の組織部位に再配置されるようにさらに構成されている、請求項３８に記載の装置。
【請求項５３】
前記フード内または前記フード外の物理パラメータを感知するための手段をさらに含む、請求項３８に記載の装置。
【請求項５４】
前記フードを介して展開されるように構成されている、組織部位に移植可能な部材をさらに含む、請求項３８に記載の装置。
【請求項５５】
前記フードを介して組織部位に展開されるように構成されている固定アセンブリをさらに含む、請求項３８に記載の装置。